(57)【要約】【課題】追いかけ再生を手間をかけることなく行うことができるようにすると共に視聴者の視聴の楽しみが激減してしまうことがないようにすることを目的とする。【解決手段】テレビジョン放送信号を受信する機能を有すると共にこの受信したテレビジョン放送信号を録画し、これを再生する機能を有し、更に追いかけ再生する機能を有する映像信号記録再生装置において、予約録画中にテレビモニター１３の電源をオンしたときに、視聴者に振る舞いの選択を訊ねるメッセージを出力すると共にこのメッセージの選択に応じた動作をするようにしたものである。【選択図】図１
2008205819.tif 000002
【特許請求の範囲】
【請求項１】
テレビジョン放送信号を受信する機能を有すると共に該受信したテレビジョン放送信号を録画し、これを再生する機能を有し、更に追いかけ再生する機能を有する映像信号記録再生装置において、
予約録画中にテレビモニターの電源をオンしたときに、視聴者に振る舞いの選択を訊ねるメッセージを出力すると共に前記メッセージの選択に応じた動作をするようにしたことを特徴とする映像信号記録再生装置。
【請求項２】
請求項１記載の映像信号記録再生装置において、
前記視聴者に振る舞いの選択を訊ねるメッセージは、「放送中の番組を出力してもいいですか」、「今録画中の番組を始めから再生しますか」であることを特徴とする映像信号記録再生装置。
【請求項３】
請求項１記載の映像信号記録再生装置において、
前記視聴者に振る舞いの選択を訊ねるメッセージを前記テレビモニターに表示するようにしたことを特徴とする映像信号記録再生装置。
【発明の詳細な説明】
【技術分野】
【０００１】
本発明は、テレビジョン放送信号を受信する機能を有すると共にこの受信したテレビジョン放送信号を録画し、これを再生する機能を有し、更に追いかけ再生する機能を有する映像信号記録再生装置に関する。
【背景技術】
【０００２】
従来、テレビジョン放送信号を受信する機能を有すると共に該受信したテレビジョン放送信号を録画し、これを再生する機能を有し、更に追いかけ再生する機能を有する映像信号記録再生装置として、図３に示すようなものが提案されている（特許文献１参照）。
【０００３】
図３において、１はアンテナ、２はチューナ、３は復調器、４はＭＰＥＧエンコーダ、５及び６は録画用バッファメモリ、７は第１のスイッチ、８はハードディスク装置、９及び１０は再生用バッファメモリ、１１は第２のスイッチ、１２はＭＰＥＧデコーダ、１３はテレビモニター、１４はハードディスクコントローラ、１５はテーブルＲＡＭ、１６はシステムコントローラ、１７はタイマー、１８は操作パネルである。
【０００４】
この図３の動作につき説明するに、視聴者は、図４に示すように、予め見たい番組のＴＶチャンネル例えば第１チャンネル、録画開始時刻例えば午後６時、録画終了時刻例えば午後８時を操作パネル１８でセットする。
【０００５】
すると、午後６時になると、システムコントローラ１６はタイマー１７の情報に基づいて、チューナ２を第１チャンネルに設定し、アンテナ１で受信した電波から第１チャンネルのテレビジョン放送信号を選択し、復調器３により復調する。
【０００６】
この第１チャンネルのテレビジョン放送信号は、テレビモニター１３の電源をオンすることによりこのテレビモニター１３で視聴することができる。この第１チャンネルのテレビジョン放送信号は、ＭＰＥＧエンコーダ４によって圧縮映像信号に変換され、１．５Ｍｂｐｓのビットストリームとなる。この信号は、例えば２００ｋバイトの容量を持つ録画用バッファメモリ５、６、第１のスイッチ７を介してハードディスク装置８に書き込まれる。
【０００７】
この書き込まれた圧縮映像信号のハードディスク上の物理的位置を示すセクター情報とその時の時刻情報の対応はテーブルＲＡＭ１５に記憶される。この場合、視聴者が、図４に示すようにこの録画中の例えば午後７時３０分に追いかけ再生したとする。このときは、視聴者が視聴を開始する午後７時３０分までは上述状態が保持され、午後７時３０分になると、視聴者はテレビモニター１３の前で視聴を開始する。
【０００８】
この場合、午後６時からの番組が最初から、この視聴者が視聴を開始する午後７時３０分から、ノ−マルスピードで再生される。テーブルＲＡＭ１５の情報に基づいてハードディスクコントローラ１４が制御することによって、ハードディスク装置８に記録されている圧縮映像信号が再生用バッファメモリ９、１０、第２のスイッチ１１を介して再生される。
【０００９】
再生された圧縮映像信号は、ＭＰＥＧデコーダ１２によりデコードされ映像信号となり、この映像信号がテレビモニター１３に出力表示され、追いかけ再生をすることができる。
【００１０】
尚、この間も、ＭＰＥＧエンコーダ４によって圧縮された圧縮映像信号は録画用バッファメモリ５、６、第１のスイッチ７を介して午後８時までハードディスク装置８に書き込まれ続けている。午後８時になるとタイマー１７からの情報に基づき、システムコントローラ１６はハードディスク装置８への記録を終了する。
【特許文献１】特開平８−１３８３１８号公報
【発明の開示】
【発明が解決しようとする課題】
【００１１】
ところで、従来、追いかけ再生するときには、図５に示すようなフローチャートに従って行っていた。この図５のフローチャートにつき説明するに、先ず、テレビモニター１３の電源をオンとする（ステップＳ１）。このときは、テレビモニター１３の画面に放送中（録画中）のリアルタイムの画像が出力（表示）される（ステップＳ２）。
【００１２】
従来、追いかけ再生したいときには、次に操作パネル１８のタイトルリストキーを操作し、例えば図６に示すようなタイトルリストのメニューをテレビモニター１３の画面に表示する（ステップＳ３）。
【００１３】
このタイトルリストのメニューとしては、例えば「今録画中」及び過去に録画した録画リストがこのテレビモニター１３の画面に表示される。このテレビモニター１３の画面の一部に、タイトルリストのメニューの他に、今録画中の画像を表示するようにしても良い。この場合、視聴者は、追いかけ再生がしたいので、上下キーで「今録画中」を選択し（ステップＳ４）、決定キーで「今録画中」を決定する。このときは、テレビモニター１３の画面に、「今録画中」に対し何をしたいのかの図７に示すようなメニューを表示される（ステップＳ５）。
【００１４】
この図７に示すようなメニューから上下キーで「再生」を選択し（ステップＳ６）、決定キーを操作する（ステップＳ７）。これにより、午後６時より録画した録画始めから、ノーマルスピードで再生する追いかけ再生が開始される（ステップＳ８）。
【００１５】
斯かる、従来の映像信号記録再生装置においては、追いかけ再生しようとして、テレビモニター１３の電源をオンしたときには、テレビモニター１３に放送中（録画中）の番組のリアルタイムの画像、音声が出力される。
【００１６】
この放送中（録画中）の番組がスポーツの生放送やドラマ等であったときに、テレビモニター１３の電源をオンしたときに、その結果やクライマックスの場面を見せられてしまっては、視聴者としては、視聴の楽しみが激減してしまう不都合があった。
【００１７】
また、従来は、録画中の番組を始めから再生する追いかけ再生する操作に上述のように手間がかかる不都合があった。
【００１８】
本発明は、斯かる点に鑑み、追いかけ再生を手間をかけることなく行うことができるようにすると共に視聴者の視聴の楽しみが激減してしまうことがないようにすることを目的とする。
【課題を解決するための手段】
【００１９】
本発明映像信号記録再生装置は、テレビジョン放送信号を受信する機能を有すると共にこの受信したテレビジョン放送信号を録画し、これを再生する機能を有し、更に追いかけ再生する機能を有する映像信号記録再生装置において、予約録画中にテレビモニターの電源をオンしたときに、視聴者に振る舞いの選択を訊ねるメッセージを出力すると共にこのメッセージの選択に応じた動作をするようにしたものである。
【発明の効果】
【００２０】
本発明によれば、予約録画中にテレビモニターの電源をオンしたときに、視聴者に振る舞いの選択を訊ねるメッセージを出力すると共にこのメッセージの選択に応じた動作をするようにしたので、追いかけ再生をするときは、「今録画中の番組を始めから再生しますか」を選択する操作すれば良く、この操作に手間がかからない。
【００２１】
また、本発明によれば、予約録画中にテレビモニターの電源をオンしたときにメッセージの選択に応じた動作をするようにしたので、スポーツの生放送やドラマ等の録画中に、テレビモニターの電源をオンしたときにも、その結果やクライマックスの場面を見せられることがなくでき、視聴者の楽しみを激減するようなことがない。
【発明を実施するための最良の形態】
【００２２】
以下、図面を参照して、本発明映像信号記録再生装置を実施するための最良の形態の例につき説明する。
【００２３】
本例の映像信号記録再生装置も図３例と同様に構成する。即ち、視聴者が、図４に示すように、予め見たい番組のＴＶチャンネル例えば第１チャンネル、録画開始時刻例えば午後６時、録画終了時刻例えば午後８時を操作パネル１８でセットできるようにする。
【００２４】
このときは、午後６時になると、システムコントローラ１６はタイマー１７の情報に基づいて、チューナ２を第１チャンネルに設定し、アンテナ１で受信した電波から第１チャンネルのテレビジョン放送信号を選択し、復調器３により復調する。
【００２５】
この第１チャンネルのテレビジョン放送信号を、テレビモニター１３の電源をオンすることによりこのテレビモニター１３で視聴することができるようにする。この第１チャンネルのテレビジョン放送信号を、ＭＰＥＧエンコーダ４によって圧縮映像信号に変換され、１．５Ｍｂｐｓのビットストリームとなるようにする。この信号を、例えば２００ｋバイトの容量を持つ録画用バッファメモリ５、６、第１のスイッチ７を介してハードディスク装置８に書き込まれるようにする。
【００２６】
この書き込まれた圧縮映像信号のハードディスク上の物理的位置を示すセクター情報とその時の時刻情報の対応はテーブルＲＡＭ１５に記憶されるようにする。この場合、視聴者が、図４に示すようにこの録画中の例えば午後７時３０分に追いかけ再生したとする。このときは、視聴者が視聴を開始する午後７時３０分までは上述状態が保持され、午後７時３０分になると、視聴者はテレビモニター１３の前で視聴を開始する。
【００２７】
この場合、午後６時からの番組が最初から、この視聴者が視聴を開始する午後７時３０分から、ノ−マルスピードで再生される。テーブルＲＡＭ１５の情報に基づいてハードディスクコントローラ１４が制御することによって、ハードディスク装置８に記録されている圧縮映像信号が再生用バッファメモリ９、１０、第２のスイッチ１１を介して再生される。
【００２８】
再生された圧縮映像信号を、ＭＰＥＧデコーダ１２によりデコードして映像信号とし、この映像信号をテレビモニター１３に出力表示し、追いかけ再生をすることができる。
【００２９】
尚、この追いかけ再生の間も、ＭＰＥＧエンコーダ４によって圧縮された圧縮映像信号を録画用バッファメモリ５、６、第１のスイッチ７を介して午後８時までハードディスク装置８に書き込み続けるようにする。午後８時になるとタイマー１７からの情報に基づき、システムコントローラ１６はハードディスク装置８への記録を終了するようにする。
【００３０】
本例においては、例えば午後７時３０分において、追いかけ再生等をするときには、図１のフローチャートに示すように、先ず、テレビモニター１３の電源をオンとする（ステップＳ１０）。このテレビモニター１３の電源をオンとしたときに、システムコントローラ１６は「今予約録画中」であるかどうかを判断する（ステップＳ１１）。
【００３１】
今予約録画中でないときには、テレビモニター１３はこのテレビモニター１３により前回の電源オンのときに受信していたチャンネルの画像を表示するようにする（ステップＳ１２）。
【００３２】
このステップＳ１１で、今予約録画中のときは、テレビモニター１３には、例えば図２に示すように放送中（録画中）の番組の画像、音声は出力せず、スーパーインポーズで、視聴者に振る舞いの選択を訊ねるメッセージを出力表示する（ステップＳ１３）。
【００３３】
この場合、テレビモニター１３の画面には、例えば図２に示すように「今録画中です」、「放送中の番組を出力してもいいですか」、「今録画中の番組を始めから再生しますか」を表示するようにする。
【００３４】
このとき、視聴者が上下キーで「放送中の番組を出力してもいいですか」の右側の「ＹＥＳ」を選択したときには（ステップＳ１４）、放送中（録画中）の番組の画像、音声がリアルタイムに、このテレビモニター１３に出力される（ステップＳ１５）。
【００３５】
また、視聴者が上下キーで「今録画中の番組を始めから再生しますか」の右側の「ＹＥＳ」を選択したときには（ステップＳ１４）、今録画中の番組の午後６時から録画された番組が始めからノーマルスピードで再生される（ステップＳ１５）。
【００３６】
このステップＳ１４で「放送中の番組を出力してもいいですか」、「今録画中の番組を始めから再生しますか」のいずれも選択されず例えば１分間が過ぎた（タイムアウトした）ときは、放送中（録画中）の番組の画像、音声をリアルタイムに、このテレビモニター１３に出力するようにする（ステップＳ１６）。本例おいては、その他は、従来と同様に構成する。
【００３７】
本例によれば、予約録画中にテレビモニター１３の電源をオンしたときに、このテレビモニター１３に視聴者に振る舞いの選択を訊ねるメッセージを出力すると共にこのメッセージの選択に応じた動作をするようにしたので、追いかけ再生をするときは、「今録画中の番組を始めから再生しますか」を選択する操作すれば良く、この追いかけ再生の操作に手間がかからない。
【００３８】
また、本例によれば、予約録画中にテレビモニター１３の電源をオンしたときに、メッセージの選択に応じた動作をするようにしたので、スポーツの生放送やドラマ等の録画中に、テレビモニター１３の電源をオンしたときにも、その結果やクライマックスの場面を見せられることがなくでき、視聴者の楽しみを激減するようなことがない。
【００３９】
尚、上述例においては、ハードディスク装置８を使用した例につき述べたが、この代わりにＤＶＤ、半導体メモリ等の記録媒体が使用できることは勿論である。
【００４０】
また、本発明は、上述例に限ることなく本発明の要旨を逸脱することなく、その他種々の構成が採り得ることは勿論である。
【図面の簡単な説明】
【００４１】
【図１】本発明映像信号記録再生装置を実施するための最良の形態の例の説明に供するフローチャートである。
【図２】本発明の説明に供する線図である。
【図３】映像信号記録再生装置の例を示す構成図である。
【図４】本発明の説明に供する線図である。
【図５】従来の映像信号記録再生装置の例の説明に供するフローチャートである。
【図６】従来の説明に供する線図である。
【図７】従来の説明に供する線図である。
【符号の説明】
【００４２】
１…アンテナ、２…チューナ、３…復調器、４…ＭＰＥＧエンコーダ、５、６…録画用バッファメモリ、７…第１のスイッチ、８…ハードディスク装置、９、１０…再生用バッファメモリ、１１…第２のスイッチ、１２…ＭＰＥＧデコーダ、１３…テレビモニター、１４…ハードディスクコントローラ、１５…テーブルＲＡＭ、１６…システムコントローラ、１７…タイマー、１８…操作パネル
【図１】
2008205819.tif 000003
【図２】
2008205819.tif 000004
【図３】
2008205819.tif 000005
【図４】
2008205819.tif 000006
【図５】
2008205819.tif 000007
【図６】
2008205819.tif 000008
【図７】
2008205819.tif 000009